(57)【要約】      （修正有）【課題】介助者が楽に小休止できる簡易椅子付搬送車を提供する。【解決手段】介助者が小休止するための簡易椅子５を、搬送車６に収納可能に設け、簡易椅子は、座部２７と、座部を支持する回動アーム２５とからなり、回動アームは、搬送車に軸支され、回動アームと搬送車とにわたって設けられる固定具２８により選択する所定角度に固定され、この固定により座部は所定高さに固定される簡易椅子付搬送車である。【選択図】図１
2007313055.tif 000002
【特許請求の範囲】
【請求項１】
介助者が小休止するための簡易椅子（５）を、搬送車（６）に収納可能に設けた簡易椅子付搬送車。
【請求項２】
簡易椅子（５）は、座部（２７）と、座部（２７）を支持する回動アーム（２５）とからなり、
該回動アーム（２５）は、搬送車（６）に軸支され、回動アーム（２５）と搬送車（６）とにわたって設けられる固定具（２８）により選択する所定角度に固定され、この固定により前記座部（２７）は所定高さに固定されることを特徴とする請求項１記載の簡易椅子付搬送車。
【請求項３】
搬送車（６）の上フレーム（１２）の側部に横軸（３０）が設けられ、
回動アーム（２５）は、前記横軸（３０）で軸支され、搬送車（６）の側面に添って昇降回動することを特徴とする請求項２記載の簡易椅子付搬送車。
【請求項４】
搬送車（６）に平板（３２）が取り付けられ、固定具（２８）は、前記平板（３２）に開けられる複数個の受穴（３３）と、回動アーム（２５）に設けられるロックピン（３４）と、ロックピン（３４）を受穴（３３）に向けて進出付勢するバネ（３５）とから構成され
前記固定具（２８）は、ロックピン（３４）を前記受穴（３３）に嵌入することによって、回動アーム（２５）を搬送車（６）に固定することを特徴とする請求項２記載の簡易椅子付搬送車。
【発明の詳細な説明】
【技術分野】
【０００１】
本発明は、介護を必要とする人（以下入浴者という）が入浴する時に使用される簡易椅子付搬送車に関する。
【背景技術】
【０００２】
従来の技術には、浴槽、エプロン、腰掛、軸受等からなる腰掛付浴槽が開示されている。
【０００３】
従来の技術に係る腰掛付浴槽には、浴槽の縁に腰掛が軸着される。腰掛を、入浴者が移乗台として用いることができ、不用の時は折り畳むことができ邪魔にならないという効果がある。
しかし、腰掛の高さが浴槽上縁面と略同一のものしかできず、腰掛を取り付け軸部より高く、又は低くできない。腰掛の高さを変更できないという課題があった。
【特許文献１】実登２５９５３８９号公報
【発明の開示】
【発明が解決しようとする課題】
【０００４】
解決しようとする課題は、介助者の要求に合わせて腰掛の高さを変更することができないという課題があった。
【課題を解決するための手段】
【０００５】
本発明の目的は、介助者が楽に小休止できる簡易椅子付搬送車を提供することである。
【０００６】
即ち本発明は、介助者が小休止するための簡易椅子（５）を、搬送車（６）に収納可能に設けた簡易椅子付搬送車である。
又、簡易椅子（５）は、座部（２７）と、座部（２７）を支持する回動アーム（２５）とからなり、該回動アーム（２５）は、搬送車（６）に軸支され、回動アーム（２５）と搬送車（６）とにわたって設けられる固定具（２８）により選択する所定角度に固定され、この固定により前記座部（２７）は所定高さに固定される。
更に、搬送車（６）の上フレーム（１２）の側部に横軸（３０）が設けられ、回動アーム（２５）は、前記横軸（３０）で軸支され、搬送車（６）の側面に添って昇降回動する。
更に又、搬送車（６）に平板（３２）が取り付けられ、固定具（２８）は、前記平板（３２）に開けられる複数個の受穴（３３）と、回動アーム（２５）に設けられるロックピン（３４）と、ロックピン（３４）を受穴（３３）に向けて進出付勢するバネ（３５）とから構成され前記固定具（２８）は、ロックピン（３４）を前記受穴（３３）に嵌入することによって、回動アーム（２５）を搬送車（６）に固定する。
【発明の効果】
【０００７】
本発明は、介助者が小休止するための簡易椅子５を、搬送車６に収納可能に設けたものであるから、常時は収納位置にある簡易椅子５を、適時に取り出しこれに腰掛けて小休止でき、又、腰掛けて介助作業をすることもでき、介助に係る疲労を軽減でき、好都合である。
又、簡易椅子５を収納位置に収納すれば、移乗介助に支障は無く、好都合である。
【０００８】
本発明は、簡易椅子５は、座部２７と、座部２７を支持する回動アーム２５とからなり、該回動アーム２５は、搬送車６に軸支され、回動アーム２５と搬送車６とにわたって設けられる固定具２８により選択する所定角度に固定され、この固定により前記座部２７は所定高さに固定されるから、座部２７を介助者に合った高さを選択して固定でき、介助者は容易に腰掛けることが出来、好都合である。
【０００９】
本発明に係る搬送車６の上フレーム１２の側部に横軸３０が設けられ、回動アーム２５は、前記横軸３０で軸支され、搬送車６の側面に添って昇降回動するから、座部２７が側部より外へ突出せず、省スペース化でき、突出物にぶつかるといった事が起きず安全を図れ、好都合である。
【００１０】
本発明に係る搬送車６に平板３２が取り付けられ、固定具２８は、前記平板３２に開けられる複数個の受穴３３と、回動アーム２５に設けられるロックピン３４と、ロックピン３４を受穴３３に向けて進出付勢するバネ３５とから構成され、前記固定具２８は、ロックピン３４を前記受穴３３に嵌入することによって、回動アーム２５を搬送車６に固定するので、回動アーム２５を確実に選択した所定角度に固定でき、又、この固定はバネ３５の作用により自動的に行なえ操作が容易であり、好都合である。
【発明を実施するための最良の形態】
【００１１】
介助者が楽に小休止する目的を、簡易椅子５を搬送車６に収納可能に設けて、実現した。
【実施例１】
【００１２】
図１乃至５に本発明に係る簡易椅子付搬送車１の実施例１を示している。
実施例１の簡易椅子付搬送車１は、搬送車６に簡易椅子５を設けて構成される。
実施例１の搬送車６に担架２を載せ、該担架２に入浴者を乗せ、床面３を走行し入浴者を運ぶ。
【００１３】
搬送車６を浴槽４に接合し、接合が完了した後、担架２を搬送車６の短手方向（＝幅方向）に摺動し、浴槽４の架台７へ移乗し、浴槽４を上昇させ入浴を行なう。
実施例１は、簡易椅子５を搬送車６の短手方向の一側（具体的には右側）に設けたものである。
【００１４】
搬送車６は、下フレーム８と、下フレーム８に立設される内・外支柱９・１０と、下フレーム８に載設される中水受台１１と、内・外支柱９・１０に支持される上フレーム１２と、上フレーム１２に載設される前・後水受台１３・１４と、上フレーム１２に延設される前・後ハンドル１５・１６と、下フレーム８の下面に設けられる四個の車輪１７と、車輪１７にブレーキを掛ける前・後ペダル１８・１９と、上フレーム１２の側部に軸支される簡易椅子５とから構成される。
【００１５】
上フレーム１２には担架２を載せる前・後レール２０・２１が載設される。
前・後レール２０・２１の幅方向の中央部位のそれぞれには、穴２２が開設された穴片２３が水平面状に取着される。
【００１６】
下フレーム８の前後方向（＝搬送車６の長手方向）の略中央であって搬送車６の短手方向の縁部は、浴槽４と接合する接合部２４である。
【００１７】
介助者が小休止するための簡易椅子５を、搬送車６に収納可能に設ける。
簡易椅子５は、回動アーム２５と、回動アーム２５の基部に形成される軸部２６と、回動アーム２５の先部に取着される座部２７と、回動アーム２５の延設途中に構成される固定具２８とからなる。
【００１８】
回動アーム２５は、く字形状に曲がったアーム部２９と、回動アーム２５の基部に形成される軸部２６とからなる。
搬送車６の上フレーム１２の右側部に外に向かって横軸３０が突設される。該横軸３０に回動アーム２５の軸部２６が軸支される。
回動アーム２５は、搬送車６の右側面に沿って昇降回動する。
【００１９】
座部２７を水平方向軸芯回りに回動可能に回動アーム２５に支持される。
座部２７には、回動アーム２５を回動させ、座部２７を上限に位置させた時、該座部２７の上面を水平位置にして固定する座部面固定具３１が設けられる。
【００２０】
回動アーム２５に取り付けられる固定具２８は、座部２７を選択した高さに固定するものである。
固定具２８は、搬送車６側に取り付けられる平板３２に開けた受穴３３（＝上受穴３３ａ及び下受穴３３ｂ）と、回動アーム２５の筐体５０にスライド可能に取り付けられ前記受穴３３に嵌入するロックピン３４と、ロックピン３４を受穴３３に向かって進出付勢するバネ３５とから構成される。
ロックピン３４の先部は受穴３３に進入し、ロックピン３４の基側にはロックピン３４を進退操作するロックピンツマミ３６が設けられる。
【００２１】
担架２は、担架基フレーム３７と、下体乗部３８と、上体乗部３９と、枕４０と、握り手４１と、ハンドル４２と、担架基フレーム３７の下面には、複数のローラー４３を取り付けたローラーフレーム４４とからなる。
ローラーフレーム４４の、搬送車６の短手方向中央部には、中央阻止具４５が設けられる。（図４参照）
【００２２】
図３中、４７は前・後ペダル１８・１９を連結するリンク、４９はガイドローラ、図４中、４６はシャワー掛止具、４８は搬送車６を浴槽４に掛止し又は解除する接合止具である。
【００２３】
本発明を使用する際は、搬送車６上に準備された担架２に入浴者を乗せる。
搬送車６を走行させ、入浴者を運ぶ。
搬送車６を浴槽４に接合する。接合止具４８を掛けて接合が完了した後、中央阻止具４５を手動で解除し、担架２を搬送車６の短手方向に摺動する。
【００２４】
担架２の手動解除具（図示省略）を引き中央阻止具４５を解除しておいて、担架２の短手方向（＝幅方向）の側部を押し、担架２を搬送車６から浴槽４の架台７へ移乗させる。担架２が架台７の延設方向中央に来ると自動的に架台中央阻止具（図示省略）により掛止される。
【００２５】
次に、湯を満たした浴槽４を昇降機構（図示省略）で上昇させ、担架２及び入浴者を湯に浸け、入浴を行なう。
【００２６】
適宜な時間が経過すると、浴槽４を下降させ、担架２及び入浴者を湯から出し、退浴する。
担架２の前記手動解除具を引き前記架台中央阻止具を解除したまま、担架２を、浴槽４の架台７から浴槽４に接合された搬送車６へ移乗する。
担架２が、搬送車６の短手方向中央に来ると自動的に中央阻止具４５により掛止される。
【００２７】
搬送車６の接合止具４８を解除し、搬送車６を浴槽４から離間し、入浴者を移動し、所定位置に戻し入浴作業を終わる。
【００２８】
介助者が、入浴者を浴槽４に入れた後に入浴者を介助する時、又は、湯中の入浴者を看視する時、又は、小休止する時、搬送車６に収納している簡易椅子５を取り出し、腰掛ける。
介助者は簡易椅子５に腰掛けて、入浴者を介助し、又は、入浴者を看視し、又は、小休止する。
簡易椅子５を使用しない時は、搬送車６の収納位置へ収納する。
【００２９】
簡易椅子５を取り出し使用位置へ設定する時は、介助者は、固定具２８を操作し、簡易椅子５を引き上げ所望の所定位置で固定する。
その際、先ず、ロックピンツマミ３６を掴んで外方へ引き動かし、ロックピン３４の先部を筐体５０内に退入させておいて、座部２７を引き上げ、回動アーム２５を軸部２６を中心に上昇回動させる。回動アーム２５は搬送車６に添って垂直方向に昇降回動する。
【００３０】
座部２７を低位置に設定する場合は、ロックピン３４が下受穴３３ｂの近くに来た時、ロックピンツマミ３６を放す。ロックピン３４が下受穴３３ｂに合致すると、バネ３５の力でロックピン３４の先部が下受穴３３ｂに嵌入する。
この嵌入により回動アーム２５は回動不自在となり、座部２７が低位置に固定される。
【００３１】
座部２７を高位置に設定する場合は、ロックピン３４を上受穴３３ａに合致させて、該ロックピン３４の先部を上受穴３３ａに嵌入させる。この嵌入により座部２７が高位置に固定される。
座部面固定具３１で、座部２７の上面を水平位置にして、座部２７を回動アーム２５に固定する。
介助者は座部２７に腰掛け、小休止する。
【００３２】
簡易椅子５を収納位置へ戻す時は、介助者は、ロックピンツマミ３６を掴んで外方へ引き動かし、ロックピン３４の先部を筐体５０内に退入させ、回動アーム２５の固定を解除状態にして、座部２７を降ろし、回動アーム２５を軸を中心に下降回動させる。
【００３３】
回動アーム２５は搬送車６に添って垂直面方向に回動する。ロックピン３４が平板３２より下方に至れば、ロックピンツマミ３６を放す。簡易椅子５は垂下状態の収納位置に至る。
座部面固定具３１は、適宜緩め固定作用を解除する。
【産業上の利用可能性】
【００３４】
介助者が小休止するための簡易椅子５を、搬送車６に収納可能に設け、簡易椅子５の座部２７を回動アーム２５で支持し、回動アーム２５を搬送車６に軸支したものであり、回動アーム２５は固定具２８により選択する所定角度に固定され座部２７を所定高さに固定するものとし、介助者が楽に小休止できる簡易椅子付搬送車１に適用できる。
【図面の簡単な説明】
【００３５】
【図１】本発明の実施例１の右側面の部分図である。
【図２】本発明の実施例１の正面の部分図である。
【図３】本発明の実施例１の右側面図である。
【図４】本発明の実施例１の正面図である。
【図５】本発明の実施例１の平面図である。
【符号の説明】
【００３６】
１  簡易椅子付搬送車
５  簡易椅子
６  搬送車
１２  上レール
２５  回動アーム
２７  座部
２８  固定具
３０  横軸
３２  平板
３３  受穴
３４  ロックピン
３５  バネ
【図１】
2007313055.tif 000003
【図２】
2007313055.tif 000004
【図３】
2007313055.tif 000005
【図４】
2007313055.tif 000006
【図５】
2007313055.tif 000007